(57)【要約】【課題】寝床モニタ装置の配線の構造が簡単で、しかも、感圧センサから取り出された出力の処理を行い易くする。【解決手段】寝床部１０に押圧力に応じて出力が変化する感圧センサ１３が複数配置され、各感圧センサ１３の出力に基づいて寝床部１０上の人の動きを認識するようにした寝床モニタ装置において、寝床部１０に、寝床部１０を複数のブロックに区画するように、複数のセンサユニット２が配置され、各ブロックに対して作用する押圧力に対応する出力が、各センサユニット２から取り出せるように、各センサユニット２に複数の感圧センサ１３が設けられると共にこの複数の感圧センサ１３が互いに接続されている。【選択図】図６
2005204929.tif 000002
【特許請求の範囲】
【請求項１】
寝床部に押圧力に応じて出力が変化する感圧センサが複数配置され、各感圧センサの出力に基づいて寝床部上の人の動きを認識するようにした寝床モニタ装置において、
前記寝床部に、寝床部を複数のブロックに区画するように、複数のセンサユニットが配置され、各ブロックに対して作用する押圧力に対応する出力が、各センサユニットから取り出せるように、各センサユニットに複数の感圧センサが設けられると共にこの複数の感圧センサが互いに接続されていることを特徴とする寝床モニタ装置。
【請求項２】
前記複数のセンサユニットは、前記各ブロックの面積が略均等となり且つ寝床部全体を縦横に複数分割するように、配置されていることを特徴とする請求項１に記載の寝床モニタ装置。
【請求項３】
前記各センサユニットの複数の感圧センサは、人の押圧力に応じて抵抗が変化するように構成され、この各感圧センサは互いに並列に接続されていることを特徴とする請求項１に記載の寝床モニタ装置。
【請求項４】
色を可変する表示部が前記各ブロックに対応して複数設けられ、各センサユニットから取り出された出力の大きさに応じて前記表示部の色を変化させる表示制御手段が設けられていることを特徴とする請求項１に記載の寝床モニタ装置。
【発明の詳細な説明】
【技術分野】
【０００１】
本発明は、例えば、ベッド上で寝ている患者の動きを認識する寝床モニタ装置に関するものである。
【背景技術】
【０００２】
ベッドに寝ている患者の動きを認識する寝床モニタ装置（ベッドモニタ装置）として、図１１に示すものがある。
この寝床モニタ装置では、ベッド６０の寝具６１下に感圧センサ６２を縦横に複数配置し、この各感圧センサ６２を制御部６３にそれぞれ接続し、制御部６３で各感圧センサ６２から取り出した複数の荷重信号（抵抗値）を荷重値に変換し、その荷重値を基に患者の動きを推測するようにしていた（例えば、特許文献１）。
【特許文献１】特開２００１−２５８９５７号公報
【発明の開示】
【発明が解決しようとする課題】
【０００３】
しかしながら、従来の寝床モニタ装置では、各感圧センサを制御部に直接接続するようにしていたので、感圧センサの個数だけ配線が必要になり、構造が複雑になってしまうという問題があった。
また、各感圧センサから得られる荷重信号をすべて荷重値に変換していたので、荷重値に変換する変換処理が大変であり、変換した荷重値の数も多く、複数の荷重値を処理して患者の動きを推測するには、制御部での処理が複雑になるという問題があった。
そこで、本発明は、上記問題点に鑑み、配線の構造が簡単で、且つ、感圧センサから取り出された出力の処理が行いやすい寝床モニタ装置を提供することを目的とする。
【課題を解決するための手段】
【０００４】
前記目的を達成するため、本発明においては以下の技術的手段を講じた。
すなわち、本発明における課題解決のための技術的手段は、寝床部に押圧力に応じて出力が変化する感圧センサが複数配置され、各感圧センサの出力に基づいて寝床部上の人の動きを認識するようにした寝床モニタ装置において、寝床部に、寝床部を複数のブロックに区画するように、複数のセンサユニットが配置され、各ブロックに対して作用する押圧力に対応する出力が、各センサユニットから取り出せるように、各センサユニットに複数の感圧センサが設けられると共にこの複数の感圧センサが互いに接続されている点にある。
【０００５】
本発明における課題解決のための他の技術的手段は、前記複数のセンサユニットは、前記各ブロックの面積が略均等となり且つ寝床部全体を縦横に複数分割するように、配置されている点にある。
本発明における課題解決のための他の技術的手段は、前記各センサユニットの複数の感圧センサは、人の押圧力に応じて抵抗が変化するように構成され、この各感圧センサは互いに並列に接続されている点にある。
本発明における課題解決のための他の技術的手段は、色を可変する表示部が前記各ブロックに対応して複数設けられ、各センサユニットから取り出された出力の大きさに応じて前記表示部の色を変化させる表示制御手段が設けられている点にある。
【発明の効果】
【０００６】
寝床モニタ装置の配線の構造を簡単にすることができると共に感圧センサから取り出された出力を容易に処理することができる。
【発明を実施するための最良の形態】
【０００７】
以下、本発明の実施の形態を図面に基づいて説明する。
図１に示すように、ベッド３は、平面視で略長方形状に形成された架台４と、この架台４の上に敷かれるマット５とを有している。
このマット５の上側には、カバー６が設けられ、このカバー６の上にセンサユニット２が載置され、センサユニット２の上にセンサユニット２を取り付ける取付シート７が設けられている。また、この取付シート７の上にクッション材８（例えば不織布）、防水布９等が順に設けられている。この取付シート７は布等で構成され、その下面は、どの位置でも後述する面ファスナ１７を着脱自在に接着可能である。
【０００８】
これら、カバー６，取付シート７，クッション材８は，防水布９によってカバーされてマット５の上に載置されており、これらは、マット５よりもやや小さめ又は同じ大きさで平面視長方形状に形成されている。そして、防水布９の上に通常のシーツ１１が敷かれており、このシーツ１１によって、カバー６，取付シート７，クッション材８，防水布９が覆われている。
したがって、これら、マット５、カバー６，取付シート７，クッション材８，防水布９シーツ１１によって、寝床部１０が構成され、寝床部１０上に人が寝ることができるようになっている。
【０００９】
図１〜３、５に示すようにセンサユニット２は、取付シート７とカバー６との間に複数（１６個）設けられ、各ユニットセンサ２は、複数の感圧センサ１３と、可撓性を有する一対の支持板１４と、複数の感圧センサ１３が取り付けられる一対の基板１５と、収納体１６と、取付具１７とを有している。
収納体１６は、例えば防水性を有するポリエチレン樹脂で形成された上シート１６ａと下シート１６ｂとを有しており、上シート１６ａの周縁と下シート１６ｂの周縁とを溶着することによって、袋状に形成されている。
【００１０】
この収納体１６の内部に感圧センサ１３、支持板１４、基板１５等が収納されている。  収納体１６は平面視で長方形状であり、この収納体１６の外側上面の四隅及び長手方向略中間部の幅方向両端には、面ファスナー（取付具）１７が設けられている。
したがって、図３に示すように、収納体１６の面ファスナ１７を取付シート７の下面に取り付けることによって、収納体１６（センサユニット２）を取付シート７を介してクッション材８に固定できるようになっている。
一対の支持板１４は、収納体１６の幅方向両端部（短手方向両端部）に収納されており、各支持板１４は、例えばポリカ−ボネート樹脂で長方形板状に形成されている。各支持板１４の厚みは０．５ｍｍ程度に設定されて撓み可能となっている。
【００１１】
収納体１６内の一対の支持板１４間には、上シート１６ａと下シート１６ｂとを接着する両面テープ１８が設けられており、これによって、支持板１４は幅方向にがたつかないようになっている。
各支持板１４の上面には、シート状に形成された基板１５（シート基板）が設けられており、このシート基板１５上には、各感圧センサ１３を並列接続するための銅箔等で構成した配線２０がプリントされている。
各シート基板１５上には、感圧センサ１３がシート基板１５の長手方向に一定の間隔をおいて複数（４個）設けられており、各ユニットセンサ２には８個の感圧センサ１３がその全域に亘って略均等に散らばるように設けられている。
【００１２】
この各感圧センサ１３は支持板１４上に配置され、各感圧センサ１３は、シート基板１５上で並列接続されている。
具体的には、シート基板１５上に長手方向に延びる２本の配線２０ａ，２０ｂが設けられ、感圧センサ１３からは２本のリード線２１ａ，２１ｂが設けられており、感圧センサ１３の一方のリード線２１ａは基板１５の一方の配線２０ａに接続され、感圧センサ１３の他方のリード線２１ｂは基板１５の他方の配線２０ｂに接続されて、各シート基板１５の配線２０ａ同士及び配線２０ｂ同士は、接続線１９を介して互いに接続されている。
【００１３】
各感圧センサ１３は、押圧力に応じて出力値が変化するものであり、具体的には、感圧センサ１３に荷重が加えられるとその荷重に応じて電気的な抵抗が変化する可変抵抗素子で、図４に示すように、感圧センサ１３に荷重が加えられていない場合には、その抵抗値は大きく、感圧センサ１３に荷重が加えられるほどその抵抗値が減少するようになっている。
したがって、センサユニット２の合成抵抗Ｒは、各感圧センサ１３の抵抗をｒ１，ｒ２，ｒ３・・・ｒ８とすると、次のように表すことができる。
【００１４】
１／Ｒ＝１／ｒ１＋１／ｒ２＋１／ｒ３＋・・・＋１／ｒ８
また、上記の如くセンサユニット２に８個の感圧センサ１３が略均等に散らばるように設けられていることによって、例えば、単位面積当たりの押圧力が一定でセンサユニット２を押す押圧面積が大きいと、センサユニット２の抵抗（合成抵抗）は小さく、逆に単位面積当たりの押圧力が一定でセンサユニット２を押す押圧面積が小さいと、センサユニット２から取り出される抵抗は大きくなる。
即ち、単位面積当たりの押圧力が一定あるとき、押圧面積に応じてセンサユニット２の抵抗が増減するようになっている。
【００１５】
また、例えば、センサユニット２を押す押圧面積が一定で、センサユニット２を押す押圧力が大きいと、センサユニット２の抵抗は小さくなり、逆に押圧面積が一定でセンサユニット２を押す押圧力が小さいと、センサユニット２の抵抗は大きくなる。
即ち、センサユニット２を押す押圧面積が一定であるとき、押圧力に応じてセンサユニット２の抵抗が増減するようになっている。
一方のシート基板１５には出力線２２（出力コード）が設けられ、この出力線２２は後述する電圧変換部２８に接続可能となっている。
【００１６】
この出力線２２は、収納体１６の前端部に設けられた配線用孔２３を介して、収納体１６の内部から外部に配線可能となっている。この配線用孔２３は防水性を有する接着剤で塞がれており、これによって、収納体１６は封止されて、収納体１６内に水滴等の液体等が入らないようにしている。
図１、図５に示すように、寝床モニタ装置１は、寝床部１０と、複数のセンサユニット２と、センサユニット２から取り出された出力（抵抗）を電圧に変換する電圧変換部２８と、電圧変換部２８で変換された電圧をＡ／Ｄ変換するＡ／Ｄ変換部２９と、制御部３１（パソコン）、表示部３２（モニタ）とを有する。
【００１７】
図５，６に示すように、複数のセンサユニット２は、寝床部１０を複数のブロックに区画するように、寝床部１０全体を縦横に複数分割するように設けられている。
具体的には、寝床部１０の前端部側に、センサユニット２の出力線２２側を寝床部１０の前側（ベッド３の短辺前側）に向けたセンサユニット２が、寝床部１０の幅方向へ４個配置され、寝床部１０の後端部側に、センサユニット２の出力線２２側を寝床部１０の前側に向けたセンサユニット２が、寝床部１０の幅方向へ４個配置されている。
また、寝床部１０の中途部に、センサユニット２の出力線２２側を寝床部１０の前側に向けたセンサユニット２が、寝床部１０の幅方向へ４個ずつ前後２列で計８個配置されている。
【００１８】
即ち、寝床部１０の幅方向（縦方向）に４個のセンサユニット２が配置されると共に、幅方向に配置した４個のセンサユニット２群が寝床部１０の長さ方向（横方向）に４列配置されており、これによって、寝床部１０に１６個のセンサユニット２が設けられている。
寝床部１０に設けられた複数のセンサユニット２は同一の大きさであり、センサユニット２の幅方向の配置間隔は略一定であると共に、センサユニット２の幅方向の配置間隔は略一定である。これによって、寝床部１０の上面は１６のブロックに区画され、各ブロックの面積は略均等となっている。
【００１９】
また、寝床部１０において、幅方向に隣り合うセンサユニット２の各感圧センサ１３の幅方向の間隔は、センサユニット２に設けられた各感圧センサ１３の幅方向の間隔と略同じに設定されている。
また、複数のセンサユニット２には、図５に示すようにそれぞれチャンネル番号が０番〜１５番（ｃｈ０〜１５）まで割り当てられており、これによって、各センサユニット２が寝床部１０のどのブロック（部分）に対応しているか分かるようになっている。
人が寝床部１０に寝た状態で、ｃｈ０〜３までの４個のセンサユニット２は、人体の頭部及び胸部に対応し、ｃｈ４〜７の４個のセンサユニット２は、人体の胸部及び腰部に対応し、ｃｈ８〜１１の４個のセンサユニット２は、人体の大腿部に対応し、ｃｈ１２〜１５の４個のセンサユニット２は、人体の下腿部に対応している。
【００２０】
また、０ｃｈ〜７の８個のセンサユニット２は、人体の上半身に対応し、８ｃｈ〜１５の８個のセンサユニット２は人体の下半身に対応している。
これら各センサユニット２は、電圧変換部２８に接続しており、各ブロックに作用する押圧力の大きさがセンサユニット２を介して電圧変換部２８に入力されるようになっている。
電圧変換部２８は、各センサユニット２の抵抗を抵抗分圧回路等により電圧変換するものであり、この電圧変換部２８には出力線２２を介して１６個のセンサユニット２が接続されている。
【００２１】
したがって、各センサユニット２の抵抗は、電圧変換部２８で電圧に変換された後、Ａ／Ｄ変換部２９に送られてＡ／Ｄ変換部２９でデジタル信号に変換され、パソコン３１に送信されるようになっている。
例えば、この実施の形態の場合、図７のようにブロックに作用する押圧力が大きいと、それに対応するセンサユニット２から出力される抵抗が小さくなり、電圧変換部２８で出力される電圧は大きくなる。
逆にブロックに作用する押圧力が小さいと、それに対応するセンサユニット２から出力される抵抗が大きくなり、電圧変換部２８で出力される電圧は小さくなるようになっている。そして、電圧変換部２８で出力された電圧の大きさを、Ａ／Ｄ変換部２９で数値化し、その数値化した信号をデジタル信号（ＯＮ，ＯＦＦ信号）に変換して、パソコン３１に送信している。
【００２２】
Ａ／Ｄ変換部２９は、電圧変換部２８の出力信号（電圧）を１０ビット（０〜１０２３）に分割してデジタル化しており、電圧が高いほど数値が大きくなるように設定している。即ち、ブロックに作用する押圧力が大きいと数値が大きくなり、ブロックに作用する押圧力が小さいと数値は小さくなる。
パソコン３１は、Ａ／Ｄ変換部２９から入力されたデジタル信号を基に、寝床部１０に寝ている人がどのような状態であるか判定（推測）したり、各ブロックに作用している押圧力をモニタ３２を介してに表示させるものである。
【００２３】
図９に示すように、パソコン３１の制御によって、モニタ３２の表示部３３は、各ブロックに対応して（各センサユニット２に対応して）複数の表示ブロック３４に分割される。
即ち、寝床部１０の全体を複数のセンサユニット２で分割（区画）したように、モニタ３２の表示部３３は、縦４列、横４列に分割されて、モニタ３２の表示部３３には１６個の表示ブロック３４が構成されている。この各表示ブロック３４は色を可変できるようになっている。この各表示ブロック３４は各センサユニット２に対応しており、０〜１５ｃｈのセンサユニット２に作用する押圧力が表示可能となっている。
【００２４】
したがって、０〜３ｃｈの４個のセンサユニット２に対応する４個の表示ブロック３４は、頭部及び胸部に対応して押圧力（センサユニット２の出力）を表示するようになっており、４〜７ｃｈの４個のセンサユニット２に対応する４個の表示ブロック３４は、胸部及び腰部に対応して押圧力を表示するようになっており、８〜１１ｃｈの４個のセンサユニット２に対応する４個の表示ブロック３４は、大腿部に対応して押圧力を表示するようになっており、１２〜１５ｃｈの４個のセンサユニット２に対応する４個の表示ブロック３４は、下腿部に対応して押圧力を表示するようになっている。
【００２５】
パソコン３１には、各センサユニット２の抵抗値に応じて、即ち、各センサユニット２に作用する押圧力に応じて、表示ブロック３４（表示部３３）の色をＲＧＢ方式で変化させる表示制御手段が設けられている。
この表示制御手段は、押圧力の大きさ（数値）をレベル毎に数段に分ける分割機能と、分割機能で分けられた押圧力の大きさ（数値）に伴って色の成分を数段に階調する階調機能と、階調機能によって所定のレベルに階調された色成分を他の色成分と混ぜ合わせて色を生成する色生成機能とを有している。
【００２６】
上記実施の形態によれば、寝床部１０に人が寝ている場合において、例えば、ｃｈ７のセンサユニット２が人体によって押圧されると、ｃｈ７のセンサユニット２に対する押圧力の大きさ及び押圧力の面積に応じて、ｃｈ７のセンサユニット２の抵抗値（合成抵抗Ｒ）が変化する。そして、その抵抗値の大きさに応じて電圧変換部２８で電圧に変換され、その電圧の大きさをＡ／Ｄ変換部２９でデジタル化し、図８に示すように、所定時間（２秒）おきに順次電圧（押圧力）が変化するような電圧波形の出力信号がパソコン３１に送られる。
【００２７】
したがって、この寝床部モニタ装置によれば、複数の感圧センサ１３を有するセンサユニット２で、寝床部１０を複数のブロックに区画し、各センサユニット２に作用する押圧力を各センサユニット２から出力可能にしているので、各センサユニット２の押圧力の時間的変化（各ブロックにおける押圧力の変化）をパソコン３１で受信して表示部３３でモニタすることによって、寝床部１０に居る患者の動きを認識することができる。
寝床部１０の患者の動きを認識するために、複数の感圧センサ１３を互いに接続してユニット化し、且つ、ユニット化したセンサユニット２で寝床部１０を縦横に区画するようにし、センサユニット２のその出力を取り出すようにしているので、寝床部１０全体に対して出力線２２の本数を少なくでき、その結果、配線構造を簡単にすることができる。
【００２８】
また、例えば寝床部１０に寝ている患者の動きを認識するには、ユニット化したセンサユニット２の出力を処理するだけでよく、各感圧センサ１３から得られる出力をすべて処理する必要がないので、出力の処理が行いやすい。
また、ブロックの面積が略均等となり且つ寝床部１０全体を縦横に複数分割しているので、寝床部１０のどこの位置に患者が居ても患者の動きを認識でき、且つ、縦横に分割しているために寝床部１０での患者の位置を特定しやすく患者が寝床部１０のどの位置に居るか把握することが可能であり、患者がどの体勢になっているか推測することが可能である。
【００２９】
さらに、感圧センサ１３を押圧力に応じて抵抗が変化するように構成しているので、感圧センサ１３から出力が取り出しやすく、その感圧センサ１３から出力される信号を処理し易い。また、支持板１４を設けることにより、感圧センサ１３の押圧力に対する抵抗の変化はベッド３（マット５）の材質、硬さの影響を受けにくくなる。
次に、パソコン３１に設けられた表示制御手段による寝床部モニタ装置の動作について、図９及び、図１０のフローチャートに基づいてｃｈ７のセンサユニット２に作用した押圧力に応じてどのように表示ブロック３４の色が変化するかを例に取り説明する。
【００３０】
ステップ１で、Ａ／Ｄ変換部２９から送信されたｃｈ７のデジタル信号をパソコン３１に取り込む。
ステップ２で、押圧力の数値が０以上１０２３以下のとき、正常なデータが入力されたと判断し、ステップ３へ進む。それ以外のときは、不正のデータが入力されたと判断し、ステップ１７に進み、ｃｈ７に対応する表示ブロック３４を黒に表示する。
ステップ３（分割機能）で、押圧力の大きさを示す数値が０以上２５６未満である場合、ステップ４に進み、押圧力の大きさを示す数値がそれ以外のときは、ステップ６に進む。
【００３１】
ステップ４（階調機能）で、押圧力の大きさを示す数値に対応して表示ブロック３４の緑色成分を数段に階調する。即ち、押圧力を示す数値が１００である場合、表示ブロック３４の緑色成分を１００階調の濃度に設定する。このとき、表示ブロック３４の緑色成分の濃度は、階調レベルが大きいほど高く、階調レベルが小さいほど低くなる。
ステップ５（色生成機能）で、ｃｈ７に対応する表示ブロック３４の青色成分にステップ４で設定した濃度の緑色成分を加えて、その色を表示ブロック３４に表示する。
このとき、ＲＧＢ表示方式の通り、青色成分に緑色成分を加えると表示ブロック３４は水色に表示される。
【００３２】
なお、センサユニット２に押圧力がかかっていない場合は、緑色成分は０階調なので、表示ブロック３４は、青色となる。
ステップ６（分割機能）で、押圧力の大きさを示す数値が２５６以上５１２未満である場合、ステップ７に進み、押圧力の大きさを示す数値がそれ以外である場合、ステップ１０に進む。
ステップ７（階調機能）で、押圧力の大きさを示す数値から２５６を引き、階調レベルを求める。例えば、押圧力の大きさを示す数値が５００であるとき、階調レベルは２４４となる。
【００３３】
ステップ８（階調機能）で、ステップ７で算出した階調レベルに応じて、表示ブロック３４の青色成分を数段に階調する。即ち、階調レベルが２４４である場合、表示ブロック３４の青色成分を２４４階調の濃度に設定する。このとき、表示ブロック３４の青色成分の濃度は、階調レベルが大きいほど高く、階調レベルが小さいほど低くなる。
ステップ９（色生成機能）で、ｃｈ７に対応する表示ブロック３４の水色成分にステップ８で設定した濃度の青色成分を引き、その色を表示ブロック３４に表示する。
このとき、ＲＧＢ表示方式の通り、水色成分（青色成分＋緑色成分）に青色成分を引くと表示ブロック３４は緑色に表示される。
【００３４】
ステップ１０（分割機能）で、押圧力の大きさを示す数値が５１２以上７６８未満である場合、ステップ１１に進み、押圧力の大きさを示す数値がそれ以外である場合、ステップ１４に進む。
ステップ１１（階調機能）で、押圧力の大きさを示す数値から５１２を引き、階調レベルを求める。例えば、押圧力の大きさを示す数値が７５０であるとき、階調レベルは２３８となる。
ステップ１２（階調機能）で、階調レベルに応じて、表示ブロック３４の赤色成分を数段に階調する。即ち、階調レベルが２３８である場合、表示ブロック３４の赤色成分を２３８階調の濃度に設定する。このとき、表示ブロック３４の赤色成分の濃度は、階調レベルが大きいほど高く、階調レベルが小さいほど低くなる。
【００３５】
ステップ１３（色生成機能）で、表示ブロック３４の緑色成分にステップ１２で設定した濃度の赤色成分を加え、その色を表示ブロック３４に表示する。
このとき、ＲＧＢ表示方式の通り、緑色成分に赤色成分を加えると表示ブロック３４は黄色に表示される。
ステップ１４（階調機能）で、押圧力の大きさを示す数値から７６８を引き、階調レベルを求める。例えば、押圧力の大きさを示す数値が１０００であるとき、階調レベルは２３２となる。
【００３６】
ステップ１５（階調機能）で、階調レベルに応じて、表示ブロック３４の緑色成分を数段に階調する。即ち、階調レベルが１０００である場合、表示ブロック３４の緑色成分を１０００階調の濃度に設定する。このとき、表示ブロック３４の緑色成分の濃度は、階調レベルが大きいほど高く、階調レベルが小さいほど低くなる。
ステップ１６（色生成機能）で、表示ブロック３４の黄色成分（緑色成分＋赤色成分）にステップ１５で設定した濃度の緑色成分を引き、その色を表示ブロック３４に表示する。
【００３７】
このとき、ＲＧＢ表示方式の通り、黄色成分に緑色成分を引くと表示ブロック３４は赤色に表示される。
以上、この寝床部モニタ装置によれば、例えば、図９（ａ）に示すように、各ブロック化された表示部３３において、水色，緑色，黄色，赤色に表示された表示ブロック３４が全体的に多く（青色の表示ブロック３４が少ない）、且つ、水色，緑色，黄色，赤色に表示された表示ブロック３４が寝床部１０全体に広がっている場合、ベッド３上に居る患者は、仰臥位であると推測することができる。
【００３８】
また、図９（ｂ）に示すように、各ブロック化された表示部３３において、水色，緑色，黄色，赤色に表示された表示ブロック３４が寝床部１０一側部に偏っている場合、ベッド３上に居る患者は、側臥位であると推測することができる。
また、図９（ｃ）に示すように、各ブロック化された表示部３３において、青色に表示された表示ブロック３４が多く、他の色に表示された表示ブロック３４が少なく、且つ、青色以外に表示された表示ブロック３４が寝床部１０の後方側で互いに隣接している場合（ｃｈ９，１０，１３，１４の表示ブロックが青色以外）、ベッド３上に居る患者は、座位であり患者はベッド３の後方側に座っていると推測することができる。
【００３９】
また、図９（ｄ）に示すように、各ブロック化された表示部３３において、青色に表示された表示ブロック３４が多く、他の色に表示された表示ブロック３４が少なく、且つ、青色以外に表示された表示ブロック３４が寝床部１０の一側部で中央で互いに隣接している場合（ｃｈ４，８，９の表示ブロックが青色以外）、ベッド３上に居る患者は、座位であり患者はベッド３の一側部中央に座っていると推測することができる。
したがって、センサユニット２から出力される抵抗を押圧力に変換処理することによって、人の動きを認識することができる。この場合、寝床部１０における押圧力を連続的に、表示部３３で表示することによって、例えば、表示部３３の色の変化によりベッド３に寝ている患者が就寝持にベッド３上でどのような動きをしているか認識することも可能である。
【００４０】
また、押圧力の大きさをその大きさに応じて３原色で生成する数種類の基本色（青色、水色、緑色、黄色、赤色）に分類し、表示部３３で表示するようにしているので、寝床部１０での押圧力の状態を容易に識別することができる。さらに、上記に加え、押圧力の大きさに応じて、基本色の色を変化するようにしてるので、寝床部１０での押圧力の状態をより詳しく認識することができる。
本実施形態にかかる寝床モニタ装置１は、上記実施の形態に限定されるものではない。即ち、感圧センサ１３は押圧力に応じて抵抗値が変化するものであったが、押圧力に応じて電圧又は電流を直接出力するものであってもよい。
【００４１】
また、センサユニット２からの押圧力を大きさそのものを表示部３３で表示していたが、センサユニット２から出力された押圧力が所定の度合い変化したときに、表示部３３にその変化度合いを表示するようにしてもよい。
また、上記の実施の形態では、押圧力の低い順に、青色、水色、緑色、黄色、赤色で表示部３３に表示するようにしていたが、押圧力に対応してこの色の順番は適宜に変更してもよい。例えば、押圧力の低い順に、水色、青色、黄色、緑色、赤色といった具合に表示する色の順番を変えてもよいし、その他の色で表示するようにしてもよい。
【００４２】
上記の実施の形態では、ベッド３の上部のマット５、カバー６，取付シート７，クッション材８，防水布９、シーツ１１によって寝床部１０を構成していたが、これに代え、床等に敷いた布団やマットで寝床部１０を構成してもよい。
上記の実施の形態では、センサユニット２に設けた複数の各感圧センサ１３は、並列接続していたが各感圧センサ１３を互いに直列に接続するようにしてもよい。
上記の実施の形態では、１６個のセンサユニット２で寝床部１０全体を縦４分割、横４分割の計１６分割していたが、寝床部１０全体の縦横分割数又は寝床部１０全体に対して縦の分け数及び横の分け数は上記に限定されず、例えば、１５個のセンサユニット２で寝床部１０全体を縦５分割、横３分割の計１５分割にしてもよい。
【００４３】
上記の実施の形態では、寝床部１０に設けられる複数のセンサユニット２は、それぞれ同じ大きさ（同じ面積）であったが、センサユニット２の互いの大きさは上記に限定されず、例えば大きさの異なる大小２種類のセンサユニット２を寝床部１０に設けるようにしてもよい。
【図面の簡単な説明】
【００４４】
【図１】本願発明の寝床モニタ装置のセンサユニットをベッド上に設けた分解概略側面図である。
【図２】センサユニットの平面図である。
【図３】センサユニットを配置した付近の断面図である。
【図４】感圧センサの出力特性図である。
【図５】寝床モニタ装置の全体構成図である。
【図６】センサユニットを寝床部に設ける説明図である。
【図７】センサユニットの出力を電圧に変換した電圧特性図である。
【図８】センサユニット（ブロック）に作用する押圧力の入力説明図である。
【図９】（ａ）仰臥位であるときの表示部の表示の例図である。（ｂ）側臥位であるときの表示部の表示の例図である。（ｃ）後方座位であるときの表示部の表示の例図である。（ｄ）側部座位であるときの表示部の表示の例図である。
【図１０】表示制御手段の動作を示すフローチャート図である。
【図１１】従来の寝床モニタ装置の構成図である。
【符号の説明】
【００４５】
１    寝床モニタ装置
２    センサユニット
１０  寝床部
１３  感圧センサ
３３  表示部
【図１】
2005204929.tif 000003
【図２】
2005204929.tif 000004
【図３】
2005204929.tif 000005
【図４】
2005204929.tif 000006
【図５】
2005204929.tif 000007
【図６】
2005204929.tif 000008
【図７】
2005204929.tif 000009
【図８】
2005204929.tif 000010
【図９】
2005204929.tif 000011
【図１０】
2005204929.tif 000012
【図１１】
2005204929.tif 000013